(57)【要約】      （修正有）【課題】衛星デジタルオーディオラジオ（ＳＤＡＲ）使用を監視するシステムおよび方法を提供すること。【解決手段】このシステムおよび方法では、受信機が、聴取中のチャネルまたは歌、受信機が活動状態の時間、信号品質およびタイプなどのラジオ使用パラメータをフラッシュ・メモリに記録および格納する。メモリは、オーディオファイルを格納および再生するのにも使用することができる。中央サーバに接続して無料または割引きでオーディオ材料をダウンロードするようにユーザに奨励することができ、それによって、格納されたラジオ使用パラメータをアップロードおよび解析することができる。受信機は、位置ごとの受信タイプおよび品質を監視するために、グローバル・ポジショニング・サテライト（ＧＰＳ）システムから地理的位置情報を取得および記録することもできる。【選択図】図１
2006148897.tif 000002
【特許請求の範囲】
【請求項１】
ラジオ受信機の使用を監視する方法であって、
ラジオ使用パラメータを記録するステップと、
前記受信機を使用して中央サーバにアクセスするステップと、
前記受信機から前記中央サーバに前記ラジオ使用パラメータを転送するステップと
を含む方法。
【請求項２】
前記中央サーバからオーディオファイルを前記受信機にダウンロードするステップをさらに含む請求項１に記載の方法。
【請求項３】
ダウンロードする前記ステップと転送する前記ステップが同時に行われる請求項２に記載の方法。
【請求項４】
記録する前記ステップが、前記ラジオ受信機が移動中に行われる請求項１に記載の方法。
【請求項５】
前記ラジオ使用パラメータが、使用中のチャネル、受信機活動時間、音量、歌識別子、信号タイプ、および信号品質のうちの少なくとも１つから選択される請求項１に記載の方法。
【請求項６】
記録する前記ステップが、複数のラジオ使用パラメータを記録することをさらに含み、前記複数のラジオ使用パラメータを解析して使用パターンを求めるステップをさらに含む請求項１に記載の方法。
【請求項７】
前記使用パターンが、お気に入りの歌、お気に入りのチャネル、および最も可能性の高い使用時間のうちの少なくとも１つである請求項６に記載の方法。
【請求項８】
前記使用パターンに関係するオーディオデータの利用可能性を詳述する警報を発行するステップをさらに含む請求項６に記載の方法。
【請求項９】
前記使用パターンに関係する前記オーディオデータを含む番組チャネルに自動的に同調するステップをさらに含む請求項８に記載の方法。
【請求項１０】
地理的位置ロケータを提供するステップと、位置関連パラメータを記録するステップと、前記地理的位置ロケータを前記中央サーバに転送するステップとをさらに含む請求項１に記載の方法。
【請求項１１】
前記位置関連パラメータが、経度、緯度、および高度のうちの少なくとも１つである請求項８に記載の方法。
【請求項１２】
前記ラジオ使用パラメータを前記位置関連パラメータに結びつけるステップをさらに含む請求項８に記載の方法。
【請求項１３】
前記使用パターンが、位置ごとの受信タイプおよび位置ごとの品質である請求項６に記載の方法。
【請求項１４】
ラジオ受信機の使用を監視する装置であって、
ラジオ使用パラメータを記録することのできるメモリと、
ネットワークを介して前記メモリを中央サーバにリンクすることのできるデータ・アップリンクと、
前記メモリから前記中央サーバに前記ラジオ使用パラメータをアップロードすることのできるデータ・ファイル・アップローダと
を備える装置。
【請求項１５】
前記中央サーバから前記ラジオにオーディオファイルをダウンロードすることのできるオーディオファイル・ダウンローダをさらに備える請求項１４に記載の装置。
【請求項１６】
前記オーディオファイル・ダウンローダと前記データ・ファイル・アップローダが、同時オペレーションを行うことができる請求項１５に記載の装置。
【請求項１７】
前記ラジオ使用パラメータが、使用中のチャネル、受信機活動時間、音量、歌識別子、信号タイプ、および信号品質のうちの少なくとも１つである請求項１４に記載の装置。
【請求項１８】
複数の前記ラジオ使用パラメータを解析して使用パターンを求めることのできるデータ分析モジュールをさらに備える請求項１４に記載の装置。
【請求項１９】
前記使用パターンが、お気に入りの歌、お気に入りのチャネル、および最も可能性の高い使用時間のうちの少なくとも１つである請求項１４に記載の装置。
【請求項２０】
前記メモリとインターフェースすることのできる地理的位置ロケータをさらに備える請求項１２に記載の装置。
【請求項２１】
前記地理的位置ロケータが位置関連パラメータを提供することができ、前記位置関連パラメータが、経度、緯度、および高度のうちの少なくとも１つである請求項２０に記載の装置。
【請求項２２】
前記データ分析モジュールがさらに、前記ラジオ使用パラメータを前記位置関連パラメータに結びつけることができる請求項２１に記載の装置。
【請求項２３】
モバイル電子装置の使用パラメータを監視する方法であって、
ａ）前記モバイル電子装置内のメモリに少なくとも１つの使用パラメータを格納するステップと、
ｂ）前記モバイル電子装置のユーザにインセンティブを提供して、ダウンロードステップを行うことを許可するステップと、
前記メモリから、前記モバイル電子装置の外部の装置に前記使用パラメータをダウンロードするステップと
を含む方法。
【請求項２４】
ステップａ）およびｂ）を複数のモバイル電子装置について反復するステップと、
前記使用パラメータを相関させ／解析し、前記モバイル電子装置のユーザ間のパターンを求めるステップと
をさらに含む請求項２３に記載の方法。
【発明の詳細な説明】
【技術分野】
【０００１】
本発明は、デジタルオーディオ信号の衛星放送に関し、より詳細には、非衛星ネットワークを介するデータ収集を含む衛星デジタルオーディオラジオ・サービス使用を自動監視し、監視に応答してユーザ警報を発行するための装置および方法に関する。
【背景技術】
【０００２】
衛星デジタルオーディオラジオ（ＳＤＡＲ）サービスは、衛星からモバイル・ラジオに直接デジタル無線信号を放送する。ＳＤＡＲ放送は、衛星伝送のフットプリントが広いために、広範囲の地理的領域に達することができる。このことは、モバイル・ユーザ、特に自動車またはトラック内のモバイル・ユーザにとって魅力的である。それにより、モバイル・ユーザが比較的長距離にわたって移動するときにサービスの連続性を維持することが可能となるからである。例えば、ＳＤＡＲチャネルを聴取する通勤者、または長距離旅行者は、地上送信機からの従来のＡＭまたはＦＭラジオ局放送を聴取中の場合のように、３０マイル（４８．２ｋｍ）から５０マイル（８０．５ｋｍ）ごとに受信周波数を調節し、または新しい番組に切り換える必要がない。
【０００３】
ＳＤＡＲＳの一例は、ニューヨーク州ニューヨークのＳｉｒｉｕｓ  Ｓａｔｅｌｌｉｔｅ  Ｒａｄｉｏ、Ｉｎｃ．によって提供されるものである。Ｓｉｒｉｕｓは、３つの静止衛星から、米国の大陸全体をカバーする伝送フットプリントで、１００チャネルを超えるオーディオ番組を放送する。衛星のうちの２つからの信号を、自動車やトラックなどの車両に収容するのに十分小さいモバイル受信機で直接受信することができる。第３の衛星は、都市部、特に衛星伝送を遮る可能性のあるすべての建築物を有するエリアに位置する地上中継局に放送する。地上中継局は、符号化直交周波数分割多重（ＣＯＦＤＭ）などの建築物による干渉の影響を比較的受けにくい変調技法を使用して、信号を受信機に再放送する。この複合システムにより、ユーザは、米国の大陸内のどんな場所を運転中でも、地方と都市部のどちらを運転中でも、チャネルの任意の１つへの連続的アクセスを維持することが可能となる。
【０００４】
他のラジオ放送業者と同様に、ＳＤＡＲ放送業者は、番組に対する聴取者の反応（「フィードバック」とも呼ばれる）を監視することを望む。伝統的に、放送業者は、聴取者のフィードバックを使用して、聴取者の人口統計および聴取者の気を引く番組のタイプを突き止めてきた。この情報は、例えば広告主に放送時間を販売する際、および番組内容を調整する際に有用である。
【０００５】
際聴取者がラジオ局に電話をかけてクイズまたはその他のコンテストに参加する「フォンイン（ｐｈｏｎｅ−ｉｎ）」が、この聴取者のフィードバックを与える際に特に効果的であった。フォンインの有用性のかなりの部分は、発呼者識別回路を通じて得ることができる発呼者の電話番号を使用して、電話加入者データ・ベースの聴取者の地理的位置を見つけることができることであり、したがって発呼者の受信地点の良い指標である。その結果、聴取者の電話呼を使用して、聴取者の規模、番組のタイプに対する聴取者の熱意を推定できるだけでなく、放送信号の受信範囲によって示される放送信号の品質の推定などの技術データを推定することもできる。
【０００６】
ＳＤＡＲＳは主に運転中のユーザ向けであり、多くの州が運転中の電話の使用を禁止する法律を有し、またはそれを可決する手続き中であるので、聴取者のフィードバックを得るこうした従来の方法は、衛星放送ラジオの使用を監視する際にはかなり非効果的である。別の問題は、大部分のＳＤＡＲＳ聴取者は移動中であるので、聴取者が電話で応答した場合であっても、聴取者の電話番号は聴取者の受信地点の良い標識とはならないことである。
【発明の開示】
【発明が解決しようとする課題】
【０００７】
聴取者のＳＤＡＲＳの使用をより効果的に監視するために、ラジオ使用を自動的に記録する方法、およびその記録したデータを評価のために中央位置に戻させる方法が求められている。聴取者のラジオ使用の詳細と共に聴取者の地理的位置を取り込むことも好ましい。
【課題を解決するための手段】
【０００８】
本発明は、衛星デジタルオーディオラジオ（ＳＤＡＲ）使用を監視するシステムおよび方法に関する。この方法の目的は、衛星ラジオ使用の内容と技術的配信の両方の品質を制御するために、ＳＤＡＲ使用に関するフィードバックを提供することである。この方法の別の目的は、以前のラジオ使用パターンに基づいて、現在選んでいないオーディオチャネル上のオーディオデータに関する情報をラジオ・ユーザに提供することである。
【０００９】
好ましい実施形態では、ＳＤＡＲ受信機が、フラッシュ・メモリなどの固体記憶装置を追加することにより、ラジオ使用の各側面（パラメータとも呼ばれる）の自動記録のために適合される。このメモリに自動的に格納されるラジオ使用パラメータは、限定はしないが、どのチャネルが聴取されているか、どの歌が聴取されているか、いつ受信機が活動状態か、信号品質およびどのタイプの信号が受信されているかを含むことができる。受信機はさらに、聴取者がメモリを使用して、受信機を介してオーディオを記録および再生することができるように適合される。受信機はまた、限定はしないがインターネットなどの従来型ネットワークに接続するように適合することもできる。このネットワークへの接続は、受信機が車両内にある間に、例えば指定のアクセス・ポイントでのワイヤレス接続によって行うことができる。あるいは、大部分の受信機が車両から容易に取り外して、持ち運び、例えばパーソナル・コンピュータまたはネットワークに接続されたドッキング装置に接続できることを利用することができる。許可ユーザによるフリー・ダウンロードのために利用可能な歌またはその他のオーディオ材料を作成することにより、中央サーバへの接続を行うことをユーザに奨励することができる。無料の材料、割引き材料、または専用材料をダウンロードするためにユーザのＳＤＡＲラジオ受信機が中央サーバに接続される間、中央サーバは、ラジオ受信機に格納されたラジオ使用パラメータをアップロードすることができる。
【００１０】
中央サーバにアップロードした後、ラジオ使用データを分析し、または相関させて、個人またはユーザのグループのラジオ使用パターンを得ることができる。こうしたラジオ使用パターンは、限定はしないが、最も聴取された歌またはチャネルなどの使用傾向を示す可能性がある。
【００１１】
本発明の別の実施形態では、受信機がさらに、ユーザによって現在選択されていないチャネル上で利用可能なオーディオデータ、またはまもなく利用可能となるオーディオデータを効果的に監視し、ユーザのラジオ使用パターンに関係するチャネルのいずれかのオーディオデータをユーザに警報するように適合される。例えば、警報をユーザに発行して、お気に入りの歌、またはお気に入りの歌手による歌が別のチャネル上で演奏中または演奏し始めるところであることをユーザに知らせることができる。
【００１２】
本発明の別の実施形態では、受信機がさらに、限定はしないが、グローバル・ポジショニング・サテライト（ＧＰＳ）システムから入手可能な位置データなどの地理的位置情報を取得および記録するように適合される。このようにして、ラジオ使用をユーザの物理位置にマッピングすることができる。さらに、受信タイプおよび品質を位置ごとに監視することができる。
【００１３】
以下の図面を参照することによって本発明の上記およびその他の特徴をより完全に理解されよう。
【発明を実施するための最良の形態】
【００１４】
本発明は、衛星デジタルオーディオラジオ・サービス（ＳＤＡＲＳ）に対する拡張に関し、具体的には、ラジオ使用監視を可能にする拡張に関する。
【００１５】
ＳＤＡＲＳは、ギャップ・フィラー地上ネットワークによって補足された１つまたは複数の直接放送衛星を介して、ＣＤのような品質の音楽およびトークの電波をモバイル受信機に放送するシステムである。典型的ＳＤＡＲＳシステムは、許可Ｓバンド・スペクトル（約２．３ＧＨｚ）を使用して動作し、時間ダイバーシチ、周波数ダイバーシチ、および空間ダイバーシチを使用して最大サービス連続性を実現する。
【００１６】
これから、同様の参照番号が同様の要素を表す添付の図面を参照することによって本発明をより詳細に説明する。
【００１７】
図１は、スタジオ１２、超小型地球局（ＶＳＡＴ）アップリンク１３、リモート・アップリンク・サイト１４、第１衛星１６、第２衛星１８、ＶＳＡＴ衛星２０、地上中継局２２、およびモバイル受信機２４を含む例示的衛星デジタルオーディオラジオ・サービス・システム１０の概観である。
【００１８】
スタジオ１２は、オーディオチャネルおよび制御チャネルを含むコンポジット信号を生成するのに使用される。こうしたコンポジット信号が、陸線によってリモート・アップリンク・サイト１４に中継され、２つの衛星１６および１８に送られる。２つの衛星１６および１８は静止軌道上でよい。衛星１６および１８は、信号を直接モバイル受信機２４に再放送する。コンポジット信号はまた、ＶＳＡＴアップリンク１３を介して第３衛星２０にも送信される。第３衛星２０も静止衛星でよく、次いで第３衛星２０は、信号を１つまたは複数の地上中継局２２に送る。次いで中継局２２は、信号をモバイル受信機２４に放送する。本発明の例示的実施形態では、各放送経路は、利用可能な伝送スペクトルの約１／３を占有することができ、これは、約２．３ＧＨｚの許可Ｓバンド・スペクトルの１２．５ＭＨｚ帯でよい。例示的ＳＤＡＲＳでは、衛星１６および１８からモバイル受信機２４への直接の経路１７および１９それぞれは、時分割多重（ＴＤＭ）符号化放送でよく、１つの経路１７、例えば衛星１６からモバイル受信機２４への経路中の信号が、受信経路１９中の衛星１８からの信号と比べて約４秒遅延する。例示的ＳＤＡＲＳでは、地上中継局２２は、信号を、受信経路２１で伝送される符号化直交周波数分割多重（ＣＯＦＤＭ）信号として再送信することができる。
【００１９】
図２は、プロセッサ２８、ユーザ・インターフェース３０、およびフラッシュ・メモリ３２を備える、本発明の概念に従って適合された衛星デジタルオーディオラジオ・サービス受信機２６の重要な部分の概略図である。
【００２０】
ユーザは、ユーザ・インターフェース３０を使用して、聴取するチャネルを選択する。ユーザ・インターフェース３０は、ボタン、ダイヤル、つまみ、およびタッチ・スクリーンを含むことができる。ユーザ・インターフェース３０はまた、ユーザがラジオの音量を調節することを可能にし、限定はしないが、ラジオオーディオをステレオオーディオモードにするか、それともモノオーディオモードにするかを選択することや、オーディオ信号の様々な周波数成分間のバランスを調節することなどの選択を行うことを可能にする。本発明の好ましい実施形態では、ユーザ・インターフェースはまた、ユーザが着信オーディオをフラッシュ・メモリ３２に記録し、フラッシュ・メモリ３２に既に格納されたオーディオを再生することを可能にする。
【００２１】
プロセッサ２８は、ユーザ・インターフェースからのサービス要求を解釈して、再生オーディオ情報をフラッシュ・メモリ３２に記録するようにプログラムされた任意の周知のデジタル・プロセッサでよい。好ましい実施形態では、プロセッサ２８はまた、限定はしないが、現在時刻、チャネル選択、音量選択、受信機活動時間、歌識別子などのパラメータを含むラジオ使用の側面を監視することもでき、監視したパラメータの重要な詳細をフラッシュ・メモリ３２に記録することもできる。プロセッサ２８はまた、受信機２６の着信信号を監視して、限定はしないが、各衛星や任意の適切な地上中継局などの可能な各放送経路から受信される信号のレベルを判定することもできる。限定はしないが、信号タイプや信号品質などの受信の詳細もフラッシュ・メモリ３２に記録することができる。プロセッサ２８はまた、ラジオ・パラメータを比較して、最も聴取された、すなわちお気に入りのチャネル、アーティスト、音楽ジャンル、歌などのパターンを判定することもできる。プロセッサ２８はまた、限定はしないが、最も聴取されたチャネル、アーティスト、音楽ジャンル、または歌を含む、ラジオ使用パラメータおよびパターンのランク付けリストも提供することができる。フラッシュ・メモリ３２は、複数のメモリ位置を単一オペレーションで消去し、または書き込むことを可能にする任意の周知の不揮発性電子メモリでよい。
【００２２】
図３は、ＳＤＡＲＳ受信機２６、アンテナ３４、データ・リンク３６、ネットワーク３８、中央サーバ４０、受信機−リンク・データ経路４２、リンク−ネットワーク・データ経路４４、ネットワーク−サーバ・データ経路４６、ユーザ−受信機データ経路４１、およびユーザ・リンク・データ経路４８を含む、本発明の概念を組み込むシステムの例示的実施形態である。
【００２３】
本発明の好ましい実施形態では、ＳＤＡＲＳ受信機２６は、中央サーバ４０とのデータ・コンタクトを断続的に確立する。このデータ・コンタクトはネットワーク３８を介して確立することができる。ネットワーク３８は、限定はしないが、インターネット、公衆電話システム、またはワイヤレス電話ネットワークなどの任意の適切なデータ搬送ネットワークでよい。受信機２６は、リンク３６ならびにデータ経路４２および４４を介してネットワークにアクセスすることができる。リンク３６は、例えば任意の適切なケーブルまたはコネクタであるデータ・リンク４２を有するホームＰＣ上のドッキング・パッドでよく、データ・リンク４４は、電話回線、ケーブル線、またはワイヤレス・リンクでよい。リンク３６はまた、住居場所のワイヤレス・アクセス・ポイントでよく、あるいは料金所、ドライブスルー・レストラン、ワイヤレス・アクセス・ポイントの範囲内の通りなど、ＳＤＡＲＳ受信機２６が車両内にある間にアクセス可能なワイヤレス・アクセス・ポイントでよい。本発明の好ましい実施形態では、ポータブル受信機２６が、ＰＣまたはその他のネットワーク装置に同期のためにドッキングされる。
【００２４】
ＳＤＡＲＳ受信機２６がサーバ４０とデータ・コンタクトすると、例えばサーバ４０から送られたコマンドにより、あるいはプロセッサ２８上に常駐するソフトウェア・モジュールまたはエージェントにより、フラッシュ・メモリ３２に格納されたラジオ使用パラメータをサーバ４０にアップロードすることができる。ユーザも、データ経路４１およびＳＤＡＲＳ受信機２６を使用することにより、またはデータ経路４８およびリンク３６を使用することにより、サーバ４０にアクセスすることができる。
【００２５】
本発明の好ましい実施形態では、ユーザは、サーバ４０からＳＤＡＲＳ受信機２６にオーディオファイルをダウンロードし、後で再生することができる。このオーディオダウンロードのコマーシャル期間は、ユーザがＳＤＡＲＳ受信機２６を中央サーバ４０とデータ・コンタクトさせる励みとなる可能性があり、したがって、格納されたラジオ使用パラメータのアップロードを促進する。例えば、ラジオ使用パラメータをアップロードする誘因として、またはそれと引き換えに、様々なオーディオファイルを無料で入手可能にすることができる。
【００２６】
サーバにアップロードした後、チャネル選択、音量選択、および選択の時間を含むラジオ使用パラメータを放送スケジュールに対して解析して、どのオーディオファイルが特定のユーザによって聴取されたかを判定することができる。さらに、信号強度に関するパラメータを解析して、衛星および地上中継局の技術的性能に関する技術データを得ることができる。
【００２７】
本発明の別の実施形態では、ＳＤＡＲＳ受信機の地理的位置もラジオ使用パラメータの一部として規則的に記録することができる。地理的位置は、ＳＤＡＲＳ受信機に組み込まれたグローバル・ポジショニング・システム（ＧＰＳ）チップ・セットを使用して得ることができ、または適切なデータ・インターフェースを介して、既に車両に組み込まれている別のＧＰＳシステムから位置情報を取得することによって得ることができる。地理的位置情報が中央サーバ４０にアップロードされると、受信関連データを位置と相関させることが可能となり、衛星および地上放送の信号強度を解析することが可能となる。
【００２８】
本発明の別の実施形態では、中央受信機は、複数のラジオ・ユーザから得られたデータを組み合わせ、解析することができる。データを経時的に収集し、組み合わせることもできる。
【００２９】
本発明の別の実施形態では、データ使用パターンを得るためのデータ分析の一部またはすべてを受信機上の回路で行うことができる。例えば、中央サーバに転送するための時間およびチャネルの詳細を単に収集するのではなく、各モバイル装置が、同調する信号を解析し、例えば、デジタル・パターン認識によって、あるいは信号に添付され、または埋め込まれたタグによってどの歌が演奏されているかを判定することができる。次いで各モバイル装置は、歌の使用を記録し、生データではなく、ソートした累積合計を中央サーバに送信することができる。累積合計は、日または週ごとに累積することができる。
【００３０】
本発明の別の実施形態では、衛星を介して、ならびにネットワーク３８を介して音楽を受信機メモリ３２にダウンロードすることができる。このダウンロード可能な音楽を無料で入手可能にすることができ、またはサービス・プロバイダによって販売することができる。
【００３１】
本発明の別の実施形態では、以前に聴取したソースからの追加のオーディオコンテンツをユーザに警報することができる。例えば、以前に聴取したアーティスト、または何回か聴取したことによって聴取者のお気に入りのアーティストと判定されたアーティストによる新しい音楽を含む追加の音楽をユーザに警報することができる。ユーザが以前に聴取したオーディオコンテンツと類似するとみなされ、またはそれに関連するとみなされる追加のオーディオコンテンツをユーザに警報することもできる。警報は、ユーザにプッシュされるプレビューの形を取ることができ、次いでユーザが、警報を受けたコンテンツを現在演奏しているチャネルに切り換えることを選択することを可能にする。例えば、サービス・プロバイダは、ユーザ・インターフェース３０を介してユーザに警報を与えることができる。ユーザが警報を受諾した場合、プロセッサ２８は、プレビューで参照されたオーディオコンテンツを含む番組チャネルに受信機２４を自動的に同調することができる。プロセッサ２８は、ユーザによって現在選択されていないチャネル上で利用可能なオーディオデータ、またはまもなく利用可能となるオーディオデータを効果的に監視することができ、これは例えば、詳細な周期的に更新されるチャネル番組表をメモリにダウンロードすることによって行うことができる。ユーザのラジオ使用パターンから取得されたパラメータを使用して番組表を検索することにより、プロセッサ２８は、ユーザが関心のある可能性のあるオーディオデータの時間およびチャネルを求めることができる。次いでプロセッサ２８は、例えばインターフェース上のメッセージにより、またはオーディオメッセージにより、オーディオデータをユーザに警報することができる。例えば、ユーザに警報を発行して、お気に入りの歌、またはお気に入りの歌手による歌が別のチャネル上で演奏中または演奏し始めるところであることをユーザに知らせることができる。次いでユーザは、そのチャネルに切り換えることを選択することができる。ユーザは、警報を無視することを選ぶことができ、あるいは警報システムをオンまたはオフにすることができる。ユーザはまた、警報で使用されるラジオ使用パターンを編集することもできる。例えば、警報は、お気に入りの歌のトップテン・リストに応答することができる。例えばユーザは、歌を追加または削除することによって、あるいは優先順位を変更することによって編集することができ、それによってユーザ・ラジオ使用データに基づいていた、プロセッサによって割り当てられた順序を上書きすることができる。
【００３２】
本発明をＳＤＡＲＳに関連して説明したが、本明細書に記載の本発明の概念の一部またはすべてを、限定はしないがモバイル・ワイヤレス装置、携帯電話、陸上移動無線システムなどの他のシステムに適用することは当業者には明らかであろう。
【００３３】
構造的特徴および／または動作に特有の術語で本発明を説明したが、添付の特許請求の範囲で定義される発明が、記載の特定の機能および動作に必ずしも限定されないことを理解されたい。むしろ、特許請求の範囲の主題を実施する例示的形態としてこの特定の特徴および動作を開示する。
【図面の簡単な説明】
【００３４】
【図１】例示的衛星デジタルオーディオラジオ・サービス・システムの概観である。
【図２】本発明の概念に従って適合された衛星デジタルオーディオラジオ・サービス受信機の概略図である。
【図３】本発明の概念を組み込むシステムの例示的実施形態である。
【図１】
2006148897.tif 000003
【図２】
2006148897.tif 000004
【図３】
2006148897.tif 000005